(57)【要約】【課題】Ｆナンバーが４ないし４．５程度で半画角約５２度程度を有する小型の超広角レンズ系を得る。【解決手段】物体側から順に、正または負のパワーの前群、絞り、及びフォーカスレンズ群である正のパワーの後群からなり、前群は、物体側から順に、該前群を構成する各レンズからの近軸軸上光線の射出傾角のうち負の最大値のところで分けられた負のパワーの第１ａレンズ群と、正のパワーの第１ｂレンズ群とを有し、次の条件式（１）及び（２）を満足する超広角レンズ系。（１）ｆ／｜ｆＦ｜＜０．４５（２）０．９＜ｆ／｜ｆ１ａ｜＜２．５但し、ｆ；全系の焦点距離、ｆＦ；前群の焦点距離、ｆ１ａ；第１ａレンズ群の焦点距離（ｆ１ａ＜０）。【選択図】  図１
2006201526.tif 000002
【特許請求の範囲】
【請求項１】
物体側から順に、正または負のパワーの前群、絞り、及びフォーカスレンズ群である正のパワーの後群からなり、
前群は、物体側から順に、該前群を構成する各レンズからの近軸軸上光線の射出傾角のうち負の最大値のところで分けられた負のパワーの第１ａレンズ群と、正のパワーの第１ｂレンズ群とを有し、次の条件式（１）及び（２）を満足することを特徴とする超広角レンズ系。
（１）ｆ／｜ｆＦ｜＜０．４５
（２）０．９＜ｆ／｜ｆ１ａ｜＜２．５
但し、
ｆ；全系の焦点距離、
ｆＦ；前群の焦点距離、
ｆ１ａ；第１ａレンズ群の焦点距離（ｆ１ａ＜０）。
【請求項２】
請求項１記載の超広角レンズ系において、次の条件式（３）を満足する超広角レンズ系。
（３）０．９＜ｄ1a-1b／ｆ＜２．１
但し、
ｄ1a-1b；第１ａレンズ群の最も物体側の面から第１ｂレンズ群の最も物体側の面までの距離。
【請求項３】
請求項１または２記載の超広角レンズ系において、第１ａレンズ群は、物体側から順に、物体側に凸面を向けた２枚または３枚の負メニスカスレンズからなっている超広角レンズ系。
【請求項４】
請求項１ないし３のいずれか１項記載の超広角レンズ系において、後群は、物体側から順に、空気間隔が最大のところで分けられた可動の正の第２ａレンズ群と、可動の正の第２ｂレンズ群とを有し、フォーカシングのとき、この第２ａレンズ群と第２ｂレンズ群が次の条件式（４）を満足するように互いに独立して移動する超広角レンズ系。
（４）０．２＜Ｘ２ａｎ／Ｘ２ｂｎ＜０．８
但し、
Ｘ２ａｎ；無限遠物体から最短距離物体に向けてフォーカシングするときの第２ａレンズ群の移動量、
Ｘ２ｂｎ；無限遠物体から最短距離物体に向けてフォーカシングするときの第２ｂレンズ群の移動量。
【請求項５】
請求項４記載の超広角レンズ系において、後群には、第２ｂレンズ群の更に像側に、フォーカシング時に移動しない正または負の固定レンズが位置している超広角レンズ系。
【請求項６】
請求項１または２記載の超広角レンズ系において、第１ａレンズ群は、物体側から順に、物体側に凸面を向けた第１負メニスカスレンズ、物体側に凸面を向けた第２負メニスカスレンズ、第３正レンズ、及び第４負レンズからなる超広角レンズ系。
【請求項７】
請求項６記載の超広角レンズ系において、第１ｂレンズ群は物体側から順に、第５正レンズと第６負レンズを有し、次の条件式（５）及び（６）を満足する超広角レンズ系。
（５）ν1b-5＜３５
（６）ν1b-6＜３０
但し、
ν1b-5；第１ｂレンズ群の第５正レンズのアッベ数、
ν1b-6；第１ｂレンズ群の第６負レンズのアッベ数。
【請求項８】
請求項７記載の超広角レンズ系において、第１ｂレンズ群は、第６負レンズの更に像側に正レンズと負レンズの貼合せレンズを有し、次の条件式（７）及び（８）を満足する超広角レンズ系。
（７）ν1b-P＜３５
（８）ν1b-N＜３０
但し、
ν1b-P；第１ｂレンズ群の貼合せレンズを構成する正レンズのアッベ数、
ν1b-N；第１ｂレンズ群の貼合せレンズを構成する負レンズのアッベ数。
【請求項９】
請求項１ないし８のいずれか１項記載の超広角レンズ系において、前群中、後群中にそれぞれ非球面が含まれている超広角レンズ系。
【請求項１０】
請求項９記載の超広角レンズ系において、前群の非球面は第１ａレンズ群内のいずれかの負メニスカスレンズに設けられている超広角レンズ系。
【請求項１１】
請求項１ないし１０のいずれか１項記載の超広角レンズ系において、後群には、少なくとも１枚の正レンズが含まれ、かつ、その正レンズのうちの少なくとも１枚が、次の条件式（９）を満足する超広角レンズ系。
（９）νRp＞８０
但し、
νRp；後群中に含まれる正レンズのアッベ数。
【発明の詳細な説明】
【技術分野】
【０００１】
本発明は、超広角レンズ系に関し、特に６４５版程度の中版カメラ用に好適な超広角レンズ系に関する。
【背景技術】
【０００２】
従来、ライカ版（３５ｍｍ版）用の超広角レンズ系として、例えば特開平５−３４５９２号公報が提案されている。この超広角レンズ系はしかし、画面サイズが約１．６倍の中版カメラ用にスケーリングすると、収差及び大きさが１．６倍になってしまい、光学性能が劣り、小型化も困難であった。その他には、特開平４−２４６６０６号公報、特開平５−３２３１８３号公報、特開平９−８０３０３号公報などが知られているが、これらはディストーションの補正が不十分である上、焦点距離に比べて全長が極めて長くなり、中判カメラ用には使えない。
【特許文献１】特開平５−３４５９２号公報
【特許文献２】特開平４−２４６６０６号公報
【特許文献３】特開平５−３２３１８３号公報
【特許文献４】特開平９−８０３０３号公報
【発明の開示】
【発明が解決しようとする課題】
【０００３】
本発明は、Ｆナンバーが４から４．５程度で半画角が５２度程度を有する中版カメラ用に好適な小型の超広角レンズ系を得ることを目的とする。
【課題を解決するための手段】
【０００４】
本発明の超広角レンズ系は、物体側から順に、正または負のパワーの前群、絞り、及びフォーカスレンズ群である正のパワーの後群からなり、前群は、物体側から順に、前群を構成する各レンズからの近軸軸上光線の射出傾角のうち負の最大値のところで分けられた負のパワーの第１ａレンズ群と、正のパワーの第１ｂレンズ群とを有し、次の条件式（１）及び（２）を満足することを特徴とする。
（１）ｆ／｜ｆＦ｜＜０．４５
（２）０．９＜ｆ／｜ｆ１ａ｜＜２．５
但し、
ｆ；全系の焦点距離、
ｆＦ；前群の焦点距離、
ｆ１ａ；第１ａレンズ群の焦点距離（ｆ１ａ＜０）、
である。
【０００５】
さらに、本発明の超広角レンズ系において、次の条件式（３）を満足することが好ましい。
（３）０．９＜ｄ1a-1b／ｆ＜２．１
但し、
ｄ1a-1b；第１ａレンズ群の最も物体側の面から第１ｂレンズ群の最も物体側の面までの距離、
である。
【０００６】
第１ａレンズ群は、物体側から順に、物体側に凸面を向けた２枚または３枚の負メニスカスレンズからなることが好ましい。
【０００７】
本発明の超広角レンズ系の後群は、物体側から順に、空気間隔が最大のところで分けられた可動の正の第２ａレンズ群と、可動の正の第２ｂレンズ群とを有し、フォーカシングのとき、この第２ａレンズ群と第２ｂレンズ群が次の条件式（４）を満足するように互いに独立して移動することが好適である。
（４）０．２＜Ｘ２ａｎ／Ｘ２ｂｎ＜０．８
但し、
Ｘ２ａｎ；無限遠物体から最短距離物体に向けてフォーカシングするときの第２ａレンズ群の移動量、
Ｘ２ｂｎ；無限遠物体から最短距離物体に向けてフォーカシングするときの第２ｂレンズ群の移動量、
である。
【０００８】
後群には、第２ｂレンズ群の更に像側に、フォーカシング時に移動しない正または負の固定レンズを配置することができる。
【０００９】
本発明の超広角レンズ系は、別の態様として、第１ａレンズ群は、物体側から順に、物体側に凸面を向けた第１負メニスカスレンズ、物体側に凸面を向けた第２負メニスカスレンズ、第３正レンズ、及び第４負レンズから構成することができる。
【００１０】
上記第１ａレンズ群の像側に位置する第１ｂレンズ群は、物体側から順に、第５正レンズと第６負レンズを有し、次の条件式（５）及び（６）を満足することが好ましい。
（５）ν1b-5＜３５
（６）ν1b-6＜３０
但し、
ν1b-5；第１ｂレンズ群の第５正レンズのアッベ数、
ν1b-6；第１ｂレンズ群の第６負レンズのアッベ数、
である。
【００１１】
第１ｂレンズ群は、第６負レンズの更に像側に正レンズと負レンズの貼合せレンズを有し、次の条件式（７）及び（８）を満足することが好適である。
（７）ν1b-P＜３５
（８）ν1b-N＜３０
但し、
ν1b-P；第１ｂレンズ群の貼合せレンズを構成する正レンズのアッベ数、
ν1b-N；第１ｂレンズ群の貼合せレンズを構成する負レンズのアッベ数、
である。
【００１２】
前群中、後群中には、それぞれ非球面を配置するのがよい。
【００１３】
前群の非球面は、第１ａレンズ群内のいずれかの負メニスカスレンズに設けられることが好ましい。
【００１４】
後群には、少なくとも１枚の正レンズが含まれ、かつ、その正レンズのうちの少なくとも１枚が、次の条件式（９）を満足することが好ましい。
（９）νRp＞８０
但し、
νRp；後群中に含まれる正レンズのアッベ数、
である。
【発明の効果】
【００１５】
本発明によれば、Ｆナンバーが４ないし４．５程度で半画角約５２度程度を有する小型の超広角レンズ系を得ることができる。
【発明を実施するための最良の形態】
【００１６】
本発明の超広角レンズ系は、図１（実施例１）、図３（実施例２）、図５（実施例３）、図７（実施例４）、図９（実施例５）、図１１（実施例６）、図１３（実施例７）、図１５（実施例８）、図１７（実施例９）、図１９（実施例１０）及び図２１（実施例１１）の各実施例のレンズ構成図に示すように、物体側から順に、正負のパワーを問わない（正負いずれのパワーもとりうる）前群１０、絞りＳ、及び正のパワーの後群２０からなっている。前群１０は、物体側から順に、各レンズからの近軸軸上光線の射出傾角のうち負の最大値のところで分けられた物体側の負のパワーの第１ａレンズ群と、像側の正のパワーの第１ｂレンズ群からなる。射出傾角の符号は、発散方向を負とする。後群２０は、物体側から順に、空気間隔が最大のところで分けられた正の第２ａレンズ群２１と、正の第２ｂレンズ群２２とを有している。実施例１、２、３、６、７では、後群２０は、物体側から順に、第２ａレンズ群２１と第２ｂレンズ群２２だけからなっているのに対し、実施例４、５では、第２ｂレンズ群の像側にさらに、正または負の第２ｃレンズ群２３を有している。
【００１７】
以上の実施例１から実施例７では、フォーカシングに際し、第２ａレンズ群２１と第２ｂレンズ群２２が独立して動く点が特徴の一つであり、第２ｃレンズ群２３は不動である。図２３は、本超広角レンズ系の実施例１から実施例７におけるフォーカシング簡易移動図である。同図の上方（Ｗ）は無限遠物体合焦時、下方（Ｔ）は最短撮影距離物体合焦時の状態を示しており、無限遠物体への合焦状態から最短撮影距離物体に合焦するのに際し、第２ａレンズ群２１と第２ｂレンズ群２２が独立して、かつ第２ｂレンズ群２２の移動量が第２ａレンズ群２１の移動量より大きいように移動する。絞りＳは、第２ａレンズ群２１と一緒に移動する。第２ｃレンズ群２３が存在する態様（実施例４、５）では、該第２ｃレンズ群２３は移動しない（図２３中の破線で示す）。
【００１８】
また、実施例１〜実施例７では、負のパワーの第１ａレンズ群１１は、物体側から順に、物体側に凸面を向けた２枚（実施例１、４、５、６、７）または３枚（実施例２、３）の負メニスカスレンズからなり、正のパワーの第１ｂレンズ群１２は、実施例１〜５では、物体側から順に、物体側の負レンズと像側の正レンズの接合（貼合せ）レンズと、正レンズとの２群３枚からなり、実施例６、７では、物体側から順に、正レンズ、負レンズ、物体側の負レンズと像側の正レンズの接合レンズ、及び正レンズの４群５枚からなっている。
【００１９】
実施例８〜実施例１１では、フォーカシングは、後群２０が一体に移動して行う。後群２０は、物体側から順に、物体側の正レンズと像側の負レンズの接合レンズ、物体側の負レンズと像側の正レンズの接合レンズ、及び像側に凸面を向けた正メニスカスレンズからなっている。図２４は、本超広角レンズ系の実施例８から実施例１１におけるフォーカシング簡易移動図である。これらの実施例では、無限遠物体への合焦状態から最短撮影距離物体に合焦するのに際し、後群２０が一体に物体側に移動してフォーカシングを行う。絞りＳは、後群２０と一緒に移動する。
【００２０】
また、実施例８〜実施例１１では、前群１０の負のパワーの第１ａレンズ群１１は、物体側から順に、物体側に凸面を向けた第１負メニスカスレンズ、物体側に凸面を向けた第２負メニスカスレンズ、第３正レンズ及び第４負レンズからなり、正のパワーの第１ｂレンズ群１２は、物体側から順に、第５正レンズ、第６負レンズ、及び物体側の負レンズと像側の正レンズの接合レンズからなっている。
【００２１】
条件式（１）は、前群のパワーに関する条件式である。本超広角レンズ系は、前群のパワーをこの条件式（１）を満足するように比較的弱く設定した点に一つの特徴がある。条件式（１）の上限を超えて前群のパワーが大きくなると、後群全体もしくは後群の一部を移動させてフォーカシングしたときの近距離における収差の劣化が大きくなる。前群のパワーは、正負のいずれもとりうる。
【００２２】
条件式（２）は、前群の第１ａレンズ群のパワーに関する条件式である。条件式（２）の上限を超えると、バックフォーカスの確保には有利となるが、球面収差やコマ収差の高次の収差が発生する。条件式（２）の下限を超えると、歪曲収差の補正が困難となる。
【００２３】
条件式（３）は、第１ａレンズ群の最も物体側の面から第１ｂレンズ群の最も物体側の面までの距離に関する条件式である。条件式（３）の上限を超えると、第１ｂレンズ群の正のパワーを強くせざるを得ず、第１ｂレンズ群で発生する球面収差の補正が困難となる。条件式（３）の下限を超えると、第１ａレンズ群による歪曲収差の補正が困難になる。
【００２４】
条件式（４）は、後群中の第２ａレンズ群及び第２ｂレンズ群が互いに独立して移動する態様（実施例１〜実施例７）における後群のフォーカシング方式に関する条件式である。図２３で説明したように、本実施形態では、空気間隔最大となるところで後群を分割し、物体側に位置するレンズ群を第２ａレンズ群、像面側に位置するレンズ群を第２ｂレンズ群とし、これらのレンズ群を別々に移動させる。後群の像面側には、固定のレンズ群を配置しても良い。条件式（４）の上限を超えると、第２ａレンズ群と第２ｂレンズ群の移動量が同程度となり、コマ収差、非点収差の補正が困難となる。条件式（４）の下限を超えると、第２ｂレンズ群の移動量が大きくなって、コマ収差、非点収差の補正が過剰となる。
【００２５】
条件式（５）は、実施例８から実施例１１における第１ｂレンズ群の第５正レンズに関する条件式であり、条件式（６）は、実施例８から実施例１１における第１ｂレンズ群の第６負レンズに関する条件式である。この条件式（５）及び（６）を満足するように第１ｂレンズ群に分散の大きい（アッベ数の小さい）正レンズ及び負レンズを配置することによって、倍率色収差を高度に補正することができる。条件式（５）及び条件式（６）の上限を越えると、倍率色収差の補正が困難になる。
【００２６】
条件式（７）は、実施例８から実施例１１における第１ｂレンズ群中の接合レンズを構成する正レンズに関する条件式であり、条件式（８）は、実施例８から実施例１１における第１ｂレンズ群中の接合レンズを構成する負レンズに関する条件式である。この条件式（７）及び（８）を満足する分散の大きい（アッベ数の小さい）正レンズ及び負レンズからなる接合レンズを配置することによって、倍率色収差を高度に補正することができる。条件式（７）及び条件式（８）の上限を越えると、倍率色収差の補正が困難になる。
【００２７】
条件式（９）は、後群中に含まれる正レンズに関する条件式である。条件式（９）の下限を越えると、軸上色収差、倍率色収差の補正が困難になる。
【００２８】
本超広角レンズ系では、後群の最も物体側のレンズの前方に、光束を制限する絞りを配置している。このように後群の最も物体側のレンズの近傍に絞りを配置すると、機械的構成が容易となり後群の機械的精度が向上する。
【００２９】
前群中、後群中にはそれぞれ非球面を配置することができ、特に前群中の非球面は第１ａレンズ群内の負メニスカスレンズに設けることにより、短焦点距離端における歪曲収差、非点収差を良好に補正し、かつフォーカシングによる像面湾曲の変動を小さくすることができる。
【００３０】
次に具体的な実施例を示す。諸収差図及び表中、ＳＡは球面収差、ＳＣは正弦条件、球面収差で表される色収差（軸上色収差）図及び倍率色収差図中のｄ線、ｇ線、Ｃ線はそれぞれの波長に対する収差、ｙは像高、Ｓはサジタル、Ｍはメリディオナル、ＦはＦナンバー、ｆは全系の焦点距離、Ｗは半画角（°）、ｍは全系の横倍率、ｆBはバックフォーカス、ｒは曲率半径、ｄはレンズ厚またはレンズ間隔、Ｎd はｄ線の屈折率、νはアッベ数、UNは前群を構成する各レンズからの近軸軸上光線の射出傾角を示す。また、表中のｍ、ｆB及びｄの値は、無限遠物体合焦時、中間距離物体合焦時及び最短距離物体合焦時の値を順に示している。
また、回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【実施例１】
【００３１】
図１及び図２と表１は本発明による超広角レンズ系の実施例１を示している。図１はレンズ構成図、図２はその諸収差図、表１はその数値データである。
前群１０は、物体側から順に、負の第１ａレンズ群１１と正の第１ｂレンズ群１２からなる。第１ａレンズ群１１は、いずれも物体側に凸の２枚の負メニスカスレンズからなり、物体側の負メニスカスレンズの像側の面にはプラスチックからなる非球面層が付着形成されている。第１ｂレンズ群１２は、物体側から順に、物体側に位置する物体側に凸の負メニスカスレンズと像側に位置する正レンズとの接合（貼合せ）レンズ、及び正レンズからなる。後群２０は、物体側から順に、第２ａレンズ群２１と第２ｂレンズ群２２からなる。第２ａレンズ群２１は、物体側から順に、正レンズ、及び物体側の正レンズと像側の負レンズとの接合レンズからなり、第２ｂレンズ群２２は、物体側の両凹負レンズと像側の両凸正レンズとの接合レンズからなる。接合レンズの正レンズの像側の面は非球面である。絞りＳは、第１１面（第２ａレンズ群２１）の極から前方1.00にある。
（表１）
F    =  1: 4.5                                                          
f    =  28.95
W    =  51.5
m    =  0.000 /  -0.025 / -0.196                                        
fB   =  60.50 / 61.25 / 67.09
面NO.    ｒ         ｄ                 Ｎd         ν        UN
1       91.620      2.00              1.77250     49.6
2       29.000      0.50              1.52972     42.7
3*      22.834     13.15               -            -     -0.6611
4      120.623      2.00              1.72916     54.7
5       36.263     17.32               -            -     -1.1967
6      114.358      1.50              1.61800     63.4
7       34.033      9.00              1.77250     49.6
8     4944.811     13.97               -            -     -0.6202
9       44.023     11.00              1.59240     68.3
10     328.525     11.35-10.57-7.63    -            -
11    1343.570      7.00              1.67270     32.1
12     -52.723      0.20               -            - 
13   -1310.512      3.63              1.60342     38.0
14     -17.452      1.30              1.83481     42.7
15    -153.923      8.89-8.92-6.01     -            -
16     -54.758      2.30              1.80518     25.4
17      48.099      7.16              1.59240     68.3
18*    -23.174       -                 -            -
*は回転対称非球面。
非球面データ（表示していない非球面係数は0.00である。）；
面NO       Ｋ                Ａ４            Ａ６
3     -0.10000×10      0.18395×10-5    -0.10608×10-8
18     0.00             0.47627×10-5     0.11853×10-7
Ａ８             Ａ１０
3      0.24368×10-11   -0.24216×10-14
18    -0.27913×10-10    0.10049×10-12
【実施例２】
【００３２】
図３及び図４と表２は本発明による超広角レンズ系の実施例２を示している。図３はレンズ構成図、図４はその諸収差図、表２はその数値データである。この実施例では、第１ａレンズ群１１は、３枚の負メニスカスレンズからなっており、真中の負メニスカスレンズの像側の面にプラスチック非球面層が形成されている。この他のレンズ構成は実施例１と同様である。絞りＳは、第１３面（第２ａレンズ群２１）の極から前方1.00にある。
（表２）
F    =  1: 4.5                                                          
f    =   28.95                                                          
W    =   51.6 
m    =   0.000 / -0.025 / -0.193                                        
fB   =   60.50 / 61.24 / 66.63
面NO.    ｒ         ｄ                 Ｎd         ν        UN
1      100.000      2.30              1.77250     49.6
2       50.000      3.00               -            -     -0.2192
3       67.101      2.00              1.77250     49.6
4       27.000      0.50              1.52972     42.7
5*      21.212     10.46               -            -     -0.8740
6       71.513      2.00              1.72916     54.7
7       41.740     15.31               -            -     -1.1629
8      104.573      1.50              1.61800     63.4
9       30.542      9.00              1.77250     49.6
10    1350.779     13.85               -            -     -0.5712
11      46.041     11.00              1.59240     68.3
12     312.317      9.14-8.37-5.17     -            -
13  -19406.173      6.74              1.67270     32.1
14     -43.058      0.20               -            -
15    -449.398      3.39              1.60342     38.0
16     -15.981      1.30              1.83481     42.7
17    -173.209      9.04-9.06-6.87     -            -
18     -46.689      2.30              1.80518     25.4
19      52.298      7.60              1.59240     68.3
20*    -20.953       -                 -            -
*は回転対称非球面。
非球面データ（表示していない非球面係数は0.00である。）；
面NO       Ｋ                Ａ４              Ａ６                    
5     -0.10000×10       0.23073×10-6     -0.32381×10-9
20     0.00              0.62971×10-5      0.13359×10-7
Ａ８             Ａ１０
5     0.27922×10-11     -0.32359×10-14
20   -0.11413×10-10      0.10958×10-12
【実施例３】
【００３３】
図５及び図６と表３は本発明による超広角レンズ系の実施例３を示している。図５はレンズ構成図、図６はその諸収差図、表３はその数値データである。この実施例の第１ａレンズ群１１の構成は実施例２と同様である。第２ｂレンズ群２２は、物体側から順に、物体側の負レンズと像側の両凸正レンズとの接合レンズ、及び両凹負レンズの３枚構成であり、接合レンズの正レンズの像側の面にプラスチック非球面層が形成されている。この他のレンズ構成は実施例１と同様である。絞りＳは、第１３面（第２ａレンズ群２１）の極から前方1.00にある。
（表３）
F    =  1:  4.5                                                         
f    =  28.95                                                           
W    =  51.4
m    =  0.000  /  -0.025  /  -0.216                                     
fB   =  60.50  /   61.28  /   67.94
面NO.     ｒ        ｄ                 Ｎd         ν        UN
1       83.312      2.30              1.77250     49.6
2       33.849      3.80               -            -     -0.3843
3       44.953      2.00              1.77250     49.6
4       27.000      0.50              1.52972     42.7
5*      21.452     11.90               -            -     -0.8764
6       48.599      2.00              1.72916     54.7
7       34.871     19.17               -            -     -1.1215
8      109.778      1.50              1.61800     63.4
9       27.741      9.00              1.77250     49.6
10     124.947      2.47               -            -     -0.8232
11      54.458     11.00              1.49700     81.6
12     178.943     11.71-11.60-6.67    -            -
13      53.307     10.68              1.68893     31.1
14     -46.946      0.71               -            -
15     -82.581      4.00              1.49700     81.6
16     -21.199      1.30              1.88300     40.8
17    -191.146     10.63-9.95-8.23     -            -
18     557.880      2.30              1.80518     25.4
19      32.749      8.03              1.59240     68.3
20     -28.700      0.30              1.52972     42.7
21*    -27.000      0.20               -            -
22    -241.786      3.00              1.77250     49.6
23     397.698       -                 -            -
*は回転対称非球面。
非球面データ（表示していない非球面係数は0.00である。）；
面NO        Ｋ                Ａ４               Ａ６                  
5     -0.10000×10      -0.30579×10-6       0.27389×10-8
21     0.00              0.81173×10-5      -0.13710×10-8
Ａ８             Ａ１０
5     -0.63574×10-11     0.14729×10-14
21     0.35186×10-10    -0.54724×10-13
【実施例４】
【００３４】
図７及び図８と表４は本発明による超広角レンズ系の実施例４を示している。図７はレンズ構成図、図８はその諸収差図、表４はその数値データである。第１ａレンズ群１１は、いずれも物体側に凸の２枚の負メニスカスレンズからなり、像側の負メニスカスレンズの像側の面に、プラスチックからなる非球面層が付着形成されている。第２ｂレンズ群２２は、物体側から順に、物体側の両凹負レンズと像側の両凸正レンズとの接合レンズからなり、この正レンズの像側の面にプラスチック非球面層が形成されている。第２ｃレンズ群２３は、像側凸の負メニスカスレンズからなる。この他のレンズ構成は実施例１と同様である。絞りＳは、第１１面（第２ａレンズ群２１）の極から前方1.00にある。
（表４）
F    =  1:  4.0                                                         
f    =   28.95                                                          
W    =   51.6 
m    =   0.000 / -0.025 / -0.200                                        
fB   =   60.50 / 60.50 /  60.50 
面NO.     ｒ         ｄ                Ｎd         ν        UN
1       84.933      2.30              1.77250     49.6
2       29.000      5.85               -            -     -0.4988
3       34.466      2.00              1.72916     54.7
4       23.246      0.50              1.52972     42.7
5*      17.248     33.70               -            -     -1.0639
6       82.598      1.50              1.61800     63.4
7       31.651      9.00              1.72342     38.0
8      403.616      0.20               -            -     -0.4600
9       43.702      7.82              1.49700     81.6
10     112.117      7.10-6.60-4.99     -            -
11     336.594     10.76              1.61293     37.0
12     -41.397      0.33               -            -
13    -269.067      7.95              1.49700     81.6
14     -18.180      1.30              1.88300     40.8
15    -171.184      8.83-8.75-6.32     -            -
16    -210.539      2.30              1.80518     25.4
17      70.012      7.49              1.59240     68.3
18     -25.683      0.30              1.52972     42.7
19*    -24.737      1.00-1.58-5.62     -            -
20    -100.000      3.00              1.77250     49.6
21    -131.199       -                 -            -
*は回転対称非球面。
非球面データ（表示していない非球面係数は0.00である。）；
面NO        Ｋ                Ａ４             Ａ６                    
5      -0.10000×10      0.31359×10-5     -0.25441×10-8
19      0.00             0.65830×10-5      0.86817×10-8
Ａ８             Ａ１０
5       0.43328×10-11    -0.21277×10-13
19      0.25653×10-11     0.38030×10-13
【実施例５】
【００３５】
図９及び図１０と表５は本発明による超広角レンズ系の実施例５を示している。図９はレンズ構成図、図１０はその諸収差図、表５はその数値データである。この実施例の基本的なレンズ構成は実施例４と同様である。絞りＳは、第１１面（第２ａレンズ群２１）の極から前方1.00にある。
（表５）
F    =  1:  4.0                                                         
f    =    28.95                                                         
W    =    51.6
m    =    0.000  /  -0.025 /  -0.197                                    
fB   =    60.50  / 60.50 / 60.50
面NO.     ｒ         ｄ                Ｎd         ν        UN
1       83.409      2.30              1.77250     49.6
2       29.000      5.91               -            -     -0.4938
3       34.880      2.00              1.72916     54.7
4       23.306      0.50              1.52972     42.7
5*      17.385     33.75               -            -     -1.0585
6       86.501      1.50              1.61800     63.4
7       29.619      9.00              1.72342     38.0
8      603.799      0.20               -            -     -0.4217
9       44.698      6.93              1.49700     81.6
10     126.116      7.87-7.38-5.01     -            -
11     506.868     10.97              1.60342     38.0
12     -38.772      0.24               -            -
13    -299.427      6.58              1.49700     81.6
14     -18.002      1.30              1.88300     40.8
15    -202.070      8.64-8.61-7.45     -            -
16    -194.484      2.30              1.80518     25.4
17      68.940      7.55              1.61800     63.4
18     -25.083      0.30              1.52972     42.7
19*    -24.805      1.00-1.52-5.04     -            -
20    -100.000      3.00              1.77250     49.6
21    -161.735       -                 -            -
*は回転対称非球面。
非球面データ（表示していない非球面係数は0.00である。）；
面NO        Ｋ               Ａ４              Ａ６                    
5      -0.10000×10       0.30982×10-5     -0.23123×10-8
19      0.00              0.70851×10-5      0.76913×10-8
Ａ８             Ａ１０
5       0.39910×10-11    -0.21471×10-13
19      0.95733×10-11     0.24664×10-13
【実施例６】
【００３６】
図１１及び図１２と表６は本発明による超広角レンズ系の実施例６を示している。図１１はレンズ構成図、図１２はその諸収差図、表６はその数値データである。この実施例の第１ａレンズ群１１の構成は実施例４と同様である。第１ｂレンズ群１２は、物体側から順に、両凸正レンズ、像側に凸の負メニスカスレンズ、物体側の負レンズと像側の正レンズとの接合レンズ、及び正レンズからなる。この他のレンズ構成は実施例１と同様である。絞りＳは、第１５面（第２ａレンズ群２１）の極から前方0.80にある。
（表６）
F    =  1:  4.5
f    =   28.93
W    =   51.4
m    =    0.000  / -0.025  / -0.193
fB   =    60.80  /  61.55  /  66.49
面NO.     ｒ         ｄ                Ｎd         ν        UN
1       81.537      2.30              1.77250     49.6
2       29.000      9.17               -            -     -0.4871
3       51.205      2.00              1.72916     54.7
4       27.217      0.50              1.52972     42.7
5*      19.638     18.19               -            -     -1.1529
6       75.957     12.00              1.71736     29.5
7     -120.645      1.59               -            -     -0.2934
8      -58.877      2.00              1.80518     25.4
9      -98.984      6.00               -            -     -0.6108
10    -106.035      1.50              1.61800     63.4
11      20.178      9.00              1.77250     49.6
12     115.331      0.69               -            -     -0.9379
13      27.955      5.00              1.61800     63.4
14      80.312      6.20-6.05-5.00     -            -
15     248.783      3.00              1.65446     33.6
16    -107.293      2.88               -            -
17      81.676      5.00              1.49700     81.6
18     -15.906      1.30              1.88300     40.8
19     -82.209     11.45-10.86-6.80    -            -
20     -69.122      2.30              1.80518     25.4
21    1064.628      6.33              1.58636     60.9
22*    -23.972       -                 -            -
*は回転対称非球面。
非球面データ（表示していない非球面係数は0.00である。）；
面NO        Ｋ                 Ａ４              Ａ６                    
5      -0.10000×10       -0.43372×10-5     -0.42427×10-8
22      0.00               0.79201×10-5      0.13036×10-7
Ａ８              Ａ１０
5       0.22962×10-11     -0.90126×10-14
22      0.48207×10-11      0.37268×10-13
【実施例７】
【００３７】
図１３及び図１４と表７は本発明による超広角レンズ系の実施例７を示している。図１３はレンズ構成図、図１４はその諸収差図、表７はその数値データである。この実施例の基本的なレンズ構成は実施例６と同様である。絞りＳは、第１５面（第２ａレンズ群２１）の極から前方0.80にある。
（表７）
F    =  1:  4.0
f    =   28.93 
W    =   51.4
m    =   0.000  / -0.025  / -0.192                                      
fB   =   60.82  /  61.56  /  66.43
面NO.     ｒ         ｄ                Ｎd         ν        UN
1       86.955      2.30              1.77250     49.6
2       29.000      9.83               -            -     -0.5047
3       48.742      2.00              1.72916     54.7
4       26.700      0.50              1.52972     42.7
5*      18.866     16.17               -            -     -1.1981
6       69.256     10.69              1.71736     29.5
7     -111.457      1.82               -            -     -0.2817
8      -54.578      2.00              1.80518     25.4
9      -88.886      6.00               -            -     -0.5982
10    -110.010      1.50              1.61800     63.4
11      22.430      9.00              1.77250     49.6
12     147.512      0.45               -            -     -0.8579
13      29.189      5.00              1.59240     68.3
14      77.421      6.53-6.34-5.00     -            -
15     287.908      3.00              1.65446     33.6
16    -114.797      4.52               -            -
17      84.750      5.00              1.49700     81.6
18     -16.486      1.30              1.88300     40.8
19     -77.679     10.47-9.93-6.19     -            -
20     -68.545      2.30              1.80518     25.4
21   -3328.539      6.58              1.58636     60.9
22*    -23.520       -                 -           -
*は回転対称非球面。
非球面データ（表示していない非球面係数は0.00である。）；
面NO        Ｋ                 Ａ４              Ａ６                    
5      -0.10000×10       -0.49080×10-5     -0.50384×10-8
22      0.00               0.79201×10-5      0.13036×10-7
Ａ８              Ａ１０
5       0.20763×10-11     -0.10710×10-13
22      0.48207×10-11      0.37268×10-13
【実施例８】
【００３８】
図１５及び図１６と表８は本発明による超広角レンズ系の実施例８を示している。図１５はレンズ構成図、図１６はその諸収差図、表８はその数値データである。前群１０は、物体側から順に、負の第１ａレンズ群１１と正の第１ｂレンズ群１２からなる。第１ａレンズ群１１は、物体側から順に、物体側に凸の第１負メニスカスレンズ、物体側に凸の第２負メニスカスレンズ、第３正レンズ、及び第４負レンズからなり、第２負メニスカスレンズの像側の面にはプラスチックからなる非球面層が付着形成されており、第４負レンズの両面は非球面である。第１ｂレンズ群１２は、物体側から順に、両凸第５正レンズ、第６負レンズ、及び物体側の正レンズと像側の負レンズとの接合レンズからなる。後群２０は、物体側から順に、物体側の正レンズと像側の負レンズとの接合レンズ、物体側の負レンズと像側の両凸正レンズとの接合レンズ、及び像側に凸の正レンズからなる。この正レンズ（後群２０の最も像側のレンズ）の物体側の面にプラスチック非球面層が形成されている。絞りＳは、第１７面（後群２０）の極から前方1.00にある。
（表８）
F    =  1:  4.0
f    =    28.93 
W    =    51.3
m    =    0.000  / -0.025  / -0.173                                     
fB   =    61.00  /  61.77   / 66.18
面NO.     ｒ         ｄ                Ｎd         ν        UN
1       52.905      2.50              1.83481     42.7
2       23.443      8.32               -            -     -0.5516
3       41.917      2.50              1.72916     54.7
4       24.342      0.60              1.52972     42.7
5*      21.462      5.63               -            -     -1.0622
6       46.107      9.32              1.84666     23.8
7       59.151      1.64               -            -     -0.9296
8*     233.255      2.50              1.69007     53.0
9*      21.344      4.54               -            -     -2.2082
10      38.429      9.06              1.64769     33.8
11     -43.035      0.92               -            -     -0.3952
12     -62.126      2.63              1.84666     23.8
13     242.712      3.00               -            -     -1.4452
14      52.172     14.06              1.67270     32.1
15     -30.390      9.78              1.84666     23.8
16     -53.825      9.16-8.38-3.98     -            -
17      33.842     10.88              1.49700     81.6
18     -47.769      2.50              1.88300     40.8
19     237.717      3.16               -            -
20     378.062      2.53              1.80400     46.6
21      23.856      6.56              1.49700     81.6
22     -32.297      0.50               -            -
23*    -60.548      0.10              1.52972     42.7
24     -98.036      3.30              1.48749     70.2
25     -45.002       -                 -            -
*は回転対称非球面。
非球面データ（表示していない非球面係数は0.00である。）；
面NO        Ｋ               Ａ４                Ａ６                    
5          0.00         -0.16819×10-4       -0.12218×10-8
8          0.00          0.27692×10-5        0.17164×10-7
9          0.00         -0.15027×10-5       -0.29682×10-7
23         0.00          0.55881×10-5        0.15998×10-7
Ａ８               Ａ１０
5       -0.51076×10-10      0.75481×10-13
8        0.76538×10-11      0.15848×10-12
9        0.34133×10-10     -0.75376×10-13
23      -0.13688×10-9       0.59212×10-12
【実施例９】
【００３９】
図１７及び図１８と表９は本発明による超広角レンズ系の実施例９を示している。図１７はレンズ構成図、図１８はその諸収差図、表９はその数値データである。この実施例の基本的なレンズ構成は実施例８と同様である。絞りＳは、第１７面（後群２０）の極から前方1.00にある。
（表９）
F    =  1:  4.5
f    =    28.94 
W    =    51.3
m    =    0.000  /  -0.025  / -0.173                                    
fB   =    60.91   /  61.67   /  66.05
面NO.     ｒ         ｄ                Ｎd         ν        UN
1       53.741      2.50              1.83481     42.7
2       23.451      8.33               -            -     -0.5588
3       41.734      2.50              1.72916     54.7
4       24.354      0.60              1.52972     42.7
5*      21.417      5.86               -            -     -1.0701
6       45.280      9.82              1.84666     23.8
7       59.094      1.12               -            -     -0.9237
8*     243.522      2.50              1.69007     53.0
9*      21.346      4.46               -            -     -2.2051
10      38.447      8.71              1.64769     33.8
11     -43.500      0.94               -            -     -0.4150
12     -62.027      2.60              1.84666     23.8
13     237.133      3.03               -            -     -1.4626
14      52.560     13.91              1.67270     32.1
15     -29.850      9.94              1.84666     23.8
16     -53.444      9.03-8.26-3.89     -            -
17      34.002     11.96              1.49700     81.6
18     -47.864      2.51              1.88300     40.8
19     247.749      3.01               -            -
20     375.006      2.05              1.80400     46.6
21      23.791      6.42              1.49700     81.6
22     -32.803      0.50               -            -
23*    -62.753      0.30              1.52972     42.7
24     -94.468      3.40              1.48749     70.2
25     -44.477       -                 -            -
*は回転対称非球面。
非球面データ（表示していない非球面係数は0.00である。）；
面NO        Ｋ               Ａ４                Ａ６                    
5          0.00         -0.16837×10-4       -0.26247×10-8
8          0.00          0.28360×10-5        0.16599×10-7
9          0.00          0.16783×10-5       -0.28414×10-7
23         0.00         -0.53264×10-5        0.13664×10-7
Ａ８               Ａ１０
5       -0.50636×10-10      0.78036×10-13
8        0.16718×10-10      0.15924×10-12
9        0.37553×10-10     -0.56414×10-13
23      -0.11207×10-9       0.52802×10-12
【実施例１０】
【００４０】
図１９及び図２０と表１０は本発明による超広角レンズ系の実施例１０を示している。図１９はレンズ構成図、図２０はその諸収差図、表１０はその数値データである。この実施例の基本的なレンズ構成は実施例８と同様である。絞りＳは、第１７面（後群２０）の極から前方1.00にある。
（表１０）
F    =  1:  4.5
f    =    29.05 
W    =    51.2
m    =    0.000  / -0.026  /  -0.173
fB   =    60.80  /  61.61  /  66.17
面NO.     ｒ         ｄ                Ｎd         ν        UN
1       54.036      2.50              1.83481     42.7
2       23.736      8.15               -            -     -0.5514
3       41.667      2.50              1.72916     54.7
4       24.265      0.60              1.52972     42.7
5*      21.095      5.74               -            -     -1.0739
6       44.252     10.31              1.84666     23.8
7       58.318      1.15               -            -     -0.9195
8*     219.918      2.50              1.74320     49.3
9*      22.319      5.16               -            -     -2.2143
10      41.533      9.69              1.64769     33.8
11     -41.881      0.75               -            -     -0.3949
12     -65.305      3.70              1.84666     23.8
13     216.709      3.00               -            -     -1.4655
14      51.225     13.78              1.67270     32.1
15     -28.995      8.93              1.84666     23.8
16     -52.245      9.37-8.56-4.00     -            -
17      34.003     11.86              1.49700     81.6
18     -45.466      2.50              1.88300     40.8
19     269.503      3.00               -            -
20  -36437.136      2.00              1.80400     46.6
21      24.170      6.30              1.49700     81.6
22     -33.499      0.50               -            -
23*    -69.975      0.30              1.52972     42.7
24     -87.077      3.90              1.48749     70.2
25     -44.862       -                 -            -
*は回転対称非球面。
非球面データ（表示していない非球面係数は0.00である。）；
面NO        Ｋ               Ａ４                Ａ６              
5          0.00         -0.18863×10-4        0.69122×10-9
8          0.00          0.89898×10-5        0.17410×10-7
9          0.00         -0.11327×10-5       -0.35934×10-7
23         0.00         -0.48491×10-5        0.31720×10-8
Ａ８               Ａ１０
5       -0.56063×10-10      0.56777×10-13
8        0.11638×10-10      0.17430×10-12
9        0.93165×10-10     -0.10497×10-12
23      -0.16949×10-9       0.22306×10-12
【実施例１１】
【００４１】
図２１及び図２２と表１１は本発明による超広角レンズ系の実施例１１を示している。図２１はレンズ構成図、図２２はその諸収差図、表１１はその数値データである。この実施例の基本的なレンズ構成は実施例８と同様である。絞りＳは、第１７面（後群２０）の極から前方1.00にある。
（表１１）
F    =  1:  4.0
f    =    28.94 
W    =    51.2
m    =    0.000  /  -0.025  / -0.172
fB   =    60.91  /  61.75  /  66.34
面NO.     ｒ         ｄ                Ｎd         ν        UN
1       49.083      2.50              1.83481     42.7
2       23.175      8.38               -            -     -0.5261
3       40.291      2.50              1.72916     54.7
4       25.109      0.60              1.52972     42.7
5*      21.745      6.95               -            -     -0.9891
6       48.071      6.45              1.78472     25.7
7       61.132      1.33               -            -     -0.8672
8*     168.940      2.50              1.69007     53.0
9*      21.195      4.07               -            -     -2.0944
10      39.654      9.79              1.63980     34.5
11     -58.897      1.66               -            -     -0.6226
12     -64.254      8.32              1.78472     25.7
13     317.296      3.11               -            -     -1.5202
14      48.600     13.66              1.66680     33.0
15     -31.742      4.00              1.80518     25.4
16     -52.222      9.43-8.38-3.98     -            -
17      33.129      7.39              1.49700     81.6
18     -43.804      5.00              1.88300     40.8
19     218.541      3.00               -            -
20     289.314      2.84              1.80400     46.6
21      24.846      6.62              1.49700     81.6
22     -28.738      0.50               -            -
23*    -43.913      0.10              1.52972     42.7
24     -78.203      3.30              1.48749     70.2
25     -45.998       -                 -            -
*は回転対称非球面。
非球面データ（表示していない非球面係数は0.00である。）；
面NO        Ｋ               Ａ４               Ａ６                  
5          0.00         -0.16723×10-4        0.17353×10-8
8          0.00          0.43069×10-5        0.21878×10-7
9          0.00         -0.32590×10-6       -0.99741×10-8
23         0.00         -0.80454×10-5        0.11151×10-7
Ａ８               Ａ１０
5       -0.60827×10-10      0.12818×10-12
8        0.48645×10-11      0.13481×10-12
9       -0.28598×10-10      0.37044×10-13
23      -0.17950×10-9       0.70672×10-12
【００４２】
各実施例の各条件式に対する値を表１２に示す。
（表１２）
実施例１  実施例２  実施例３  実施例４  実施例５
条件式（１）   0.214     0.180     0.402     0.031     0.083
条件式（２）   1.197     1.163     1.122     1.064     1.059
条件式（３）   1.139     1.229     1.439     1.532     1.536
条件式（４）   0.563     0.647     0.678     0.457     0.707
条件式（９）  81.6      81.6      81.6      81.6      81.6
実施例６  実施例７
条件式（１）   0.031     0.083
条件式（２）   1.064     1.059
条件式（３）   1.532     1.536
条件式（４）   0.457     0.707
条件式（９）  81.6      81.6
実施例８    実施例９      実施例１０      実施例１１
条件式（１）   0.222       0.196         0.286           0.321
条件式（２）   2.208       2.205         2.214           2.094
条件式（３）   1.298       1.302         1.330           1.219
条件式（５）  33.8        33.8          33.8            34.5
条件式（６）  23.8        23.8          23.8            25.7
条件式（７）  32.1        32.1          32.1            33.0
条件式（８）  23.8        23.8          23.8            25.4
条件式（９）  81.6        81.6          81.6            81.6
【００４３】
表１２から明らかなように、実施例１ないし７は条件式（１）〜（４）及び（９）を満足しており、実施例８ないし１１は条件式（１）〜（３）及び（５）〜（９）を満足しており、また諸収差図から明らかなように諸収差も比較的よく補正されている。
【図面の簡単な説明】
【００４４】
【図１】本発明による超広角レンズ系の実施例１のレンズ構成図である。
【図２】図１の構成における諸収差図である。
【図３】本発明による超広角レンズ系の実施例２のレンズ構成図である。
【図４】図３の構成における諸収差図である。
【図５】本発明による超広角レンズ系の実施例３のレンズ構成図である。
【図６】図５の構成における諸収差図である。
【図７】本発明による超広角レンズ系の実施例４のレンズ構成図である。
【図８】図７の構成における諸収差図である。
【図９】本発明による超広角レンズ系の実施例５のレンズ構成図である。
【図１０】図９の構成における諸収差図である。
【図１１】本発明による超広角レンズ系の実施例６のレンズ構成図である。
【図１２】図１１の構成における諸収差図である。
【図１３】本発明による超広角レンズ系の実施例７のレンズ構成図である。
【図１４】図１３の構成における諸収差図である。
【図１５】本発明による超広角レンズ系の実施例８のレンズ構成図である。
【図１６】図１５の構成における諸収差図である。
【図１７】本発明による超広角レンズ系の実施例９のレンズ構成図である。
【図１８】図１７の構成における諸収差図である。
【図１９】本発明による超広角レンズ系の実施例１０のレンズ構成図である。
【図２０】図１９の構成における諸収差図である。
【図２１】本発明による超広角レンズ系の実施例１１のレンズ構成図である。
【図２２】図２１の構成における諸収差図である。
【図２３】本発明による超広角レンズ系の一の態様のフォーカシング基礎軌跡を示す図である。
【図２４】本発明による超広角レンズ系の別の態様のフォーカシング基礎軌跡を示す図である。
【図１】
2006201526.tif 000003
【図２】
2006201526.tif 000004
【図３】
2006201526.tif 000005
【図４】
2006201526.tif 000006
【図５】
2006201526.tif 000007
【図６】
2006201526.tif 000008
【図７】
2006201526.tif 000009
【図８】
2006201526.tif 000010
【図９】
2006201526.tif 000011
【図１０】
2006201526.tif 000012
【図１１】
2006201526.tif 000013
【図１２】
2006201526.tif 000014
【図１３】
2006201526.tif 000015
【図１４】
2006201526.tif 000016
【図１５】
2006201526.tif 000017
【図１６】
2006201526.tif 000018
【図１７】
2006201526.tif 000019
【図１８】
2006201526.tif 000020
【図１９】
2006201526.tif 000021
【図２０】
2006201526.tif 000022
【図２１】
2006201526.tif 000023
【図２２】
2006201526.tif 000024
【図２３】
2006201526.tif 000025
【図２４】
2006201526.tif 000026